(57)【特許請求の範囲】
【請求項１】
番組と前記番組の終了を示す情報とを記憶する記憶媒体から前記番組を再生する再生部と、視聴者から自動的に電源をオフする要求を受け付ける入力受付部と、前記番組の再生時において、前記番組の終了を示す情報を検出する信号検出部と、前記入力受付部が前記自動的に電源をオフする要求を受け付けた場合であって、かつ前記信号検出部が前記番組の終了を示す情報を検出した場合は、電源装置の電源をオフする制御部と、を具備することを特徴とする電源制御装置。
【発明の詳細な説明】
【０００１】
【発明の属する技術分野】
本発明は、番組情報を利用して現在視聴中の番組が終了した時点で電源をオフにするという制御を容易に行うことが可能な電源制御装置に関する。
【０００２】
【従来の技術】
従来の番組情報を利用した装置としては、特開平０９−６５２７０号公報などが提案され、ガイド情報から希望番組の日付・開始時間・終了時間・チャンネルを調べ、番組の予約録画を容易に行う装置の一例が記されている。
【０００３】
前記特開平０９−６５２７０号公報の構成と動作を、図４を用いて説明する。図４では受信装置４０１により受信された番組情報信号から復調回路４０２と復号回路４０３を利用して日付、チャンネル、開始時刻、終了時刻などを含んだ番組情報を取得し、制御回路４０５が入力受付手段４０６より指定された番組と番組情報より記憶手段４０４に録画予約を行う装置に関する。
【０００４】
【発明が解決しようとする課題】
しかしながら、前記発明は番組情報に含まれるチャンネル、日付、番組開始と終了に関する情報をひとまとまりとして利用し、目的の番組の視聴予約・録画予約などが目的であり、本発明のように番組情報の終了に関する情報を主に利用して、視聴番組終了時に電源を制御することを目的とするものではない。また本発明はオフタイマー機能と類似しているが、既存のものはあらかじめ用意された３０分、６０分、９０分などの固定単位か、あるいは１分単位で自由に設定するといったことは可能だったが、任意の時間に現在視聴中の番組終了時に電源をオフにするといった設定を行うには番組終了までの時間計算などが必要であった。また番組編成が変更されて視聴中の番組の終了時刻が変化した場合、これに対応できないという問題を有していた。
【０００５】
上記問題点を解決するために本発明の電源制御装置は、番組と番組の終了を示す情報とを記憶する記憶媒体から番組を再生する再生部と、視聴者から自動的に電源をオフする要求を受け付ける入力受付部と、番組の再生時において、番組の終了を示す情報を検出する信号検出部と、入力受付部が自動的に電源をオフする要求を受け付けた場合であって、かつ信号検出部が番組の終了を示す情報を検出した場合は、電源装置の電源をオフする制御部と、を具備することを特徴とする。
【０００６】
本発明は視聴者が視聴中の番組が終了した際に、自動的に電源をオフにするように設定することができるように構成したものであり、放送局が電波に重畳して送信した番組情報信号を受信装置が受信し、復号回路がその信号を復号して番組情報を取り出す。ここで番組情報にはある番組の放送日付、チャンネル、番組タイトル、開始時刻、終了時刻、内容、その他の特徴などが含まれた番組内容情報と、ある番組のチャンネルと番組終了を示すタグを持つ番組終了情報の２種類があるものとする。
【０００７】
これらの番組情報から視聴中の番組の終了を検出し、従来の様に３０分、６０分というようにあらかじめ定められた固定時間単位に制限されず、また現在の時刻から視聴中の番組の終了時刻までの時間を計算してオフタイマーをセットするという手間を必要とせず、容易に番組終了時に自動的に電源をオフにする設定を行うことができるようになる。また放送局から送信される番組終了を示す番組情報を利用した場合、何らかの理由（プロ野球中継番組の延長放送など）で番組編成が変更されても正しく番組終了を検出して電源をオフにすることが可能となる。
【０００８】
以下、本発明の実施の形態について、図１から図３を用いて説明する。
【０００９】
（実施の形態１）
図１は本発明の一実施例における電源制御装置のブロック構成図を示す。
図１において、符号１０１は受信装置、１０２は復調装置、１０３は復号装置、１０４は不揮発性メモリ、１０５は制御装置、１０６は入力受付手段、１０７は時計、１０８は電源装置を示す。
【００１０】
以上のように構成された電源制御装置について、以下その動作を説明する。
図１において、受信装置１０１はテレビ放送電波を受信して復調装置１０２は映像・音声信号と番組情報信号とに分離する。復号装置１０３は番組情報信号から番組情報を復号してチャンネル・番組タイトル・開始時間・終了時間・内容を不揮発性メモリ１０４に記録する。
【００１１】
さて、視聴者がある番組視聴時に入力受付手段より視聴中の番組終了時に電源を自動的に切るためにオフタイマー機能を利用しようとする際、視聴者の選択としてはあらかじめ設定された時間の中で適当なものを選ぶか、あるいは番組終了までの時間を計算して入力するしかなかった。
【００１２】
前記の番組終了時に自動的に電源をオフにする際の手間のかかる設定を回避するためには、時計１０７が番組情報に含まれる番組終了時刻と一致したときに電源装置１０８をオフにすればよい。
【００１３】
そこで、制御回路１０５は入力受付手段１０６から番組終了時に電源を自動的にオフにして欲しいという視聴者からの入力を受け付けた際、現在視聴中の番組の番組情報を不揮発性メモリ１０４から調べて終了時刻を取得する。この終了時刻と時計１０７の時刻が一致するかどうかを定期的に調べるか、あるいは番組終了までの時間を計算してカウントダウンを行い、残り時間が０になった時点で電源装置１０８をオフにする。このようにすることで視聴者は容易に番組終了時に自動的に電源をオフするという操作を行うことができる。
【００１４】
（実施の形態２）
図２は本発明の一実施例における電源制御装置のブロック構成図を示す。
図２において、符号２０１は受信装置、２０２は復調装置、２０３は復号装置、２０４は制御装置、２０５は入力受付手段、２０６は電源装置を示す。
【００１５】
以上のように構成された電源制御装置について、以下その動作を説明する。
図２において、受信装置２０１はテレビ放送電波を受信し、復調回路２０２は映像・音声信号と番組情報信号とに分離し、復号装置２０３は現在放送中の番組が終了した際にテレビ放送電波に番組が終了したことを示す番組情報を復号する。
【００１６】
さて、視聴者がある番組視聴時に入力受付手段２により視聴中の番組終了時に電源を自動的に切るためにオフタイマー機能を利用しようとする際、視聴者の選択としてはあらかじめ設定された時間の中で適当なものを選ぶか、あるいは番組終了までの時間を計算して入力するしかなかった。また番組編成が流動的に変化した場合に番組終了と同時に電源をオフにすることはできなかった。
【００１７】
前記の課題を回避するためには、番組終了を示す番組情報を受信した際に電源装置２０６をオフにすればよい。
【００１８】
そこで、制御回路２０４は入力受付手段２０５から番組終了時に電源を自動的にオフにして欲しいという入力を受け付けた際、受信した番組終了を示す番組情報が現在視聴中の番組の終了情報であるならば電源装置２０６をオフにすることで視聴者は容易に番組終了時に自動的に電源をオフするという操作を行うことができる。
【００１９】
（実施の形態３）
図３は本発明の一実施例における電源制御装置のブロック構成図を示す。
図３において、符号３０１は再生装置、３０２は信号検出装置、３０３は制御装置、３０４は入力受付手段、３０５は電源装置を示す。
以上のように構成された電源制御装置について、以下その動作を説明する。
【００２０】
図３において、再生装置で再生する記憶媒体には番組終了情報が記録されている  さて、視聴者がある番組視聴時に入力受付手段により視聴中の番組終了時に電源を自動的に切るためにオフタイマー機能を利用しようとする際、視聴者の選択としてはあらかじめ設定された時間の中で適当なものを選ぶか、あるいは番組終了までの時間を計算して入力するしかなかった。
【００２１】
前記の課題を回避するためには、番組終了を示す番組情報を検出した際に電源装置３０５をオフにすればよい。
【００２２】
そこで、制御回路３０３は入力受付手段３０４から番組終了時に電源を自動的にオフにして欲しいという入力を受け付けた際、信号検出回路３０２は番組終了情報が含まれていないか定期的にチェックし、含まれていた場合は電源装置３０５をオフにすることで視聴者は容易に番組終了時に自動的に電源をオフするという操作を行うことができる。
【００２３】
【発明の効果】
以上のように本発明の電源制御装置によれば、チャンネル・日付・開始時刻・終了時刻などを含む番組情報あるいは番組が終了したことを示す情報を取得して番組終了を検出し、電源装置をオフにすることで視聴者は番組の開始時刻、終了時刻という概念を気にすることなく視聴中の番組の終了時に電源を自動的にオフにする制御が可能となる。
【図面の簡単な説明】
【図１】本発明の一実施例における電源制御装置のブロック図
【図２】本発明の一実施例における電源制御装置のブロック図
【図３】本発明の一実施例における電源制御装置のブロック図
【図４】従来の番組情報を利用して番組の録画予約を行う装置のブロック図
【符号の説明】
１０１、２０１、４０１  受信装置
１０２、２０２、４０２  復調装置
１０３、２０３、４０３  復号装置
１０４  不揮発性メモリ
１０５、２０４、３０３、４０５  制御装置
１０６、２０５、３０４、 ４０６  入力受付手段
１０７  時計
１０８、２０６、 ３０５、４０７  電源装置
３０１  再生装置
３０２  信号検出装置
４０４  記憶手段
４０５  表示手段
【図１】
0004501226.tif 000002
【図２】
0004501226.tif 000003
【図３】
0004501226.tif 000004
【図４】
0004501226.tif 000005